(57)【特許請求の範囲】
【請求項１】
光源と、
前記光源を端面に有する透明な板状の透明板と、
前記透明板の向かい合う平面のうち、少なくとも一方の面上の一部に設けられた、光を反射する反射膜と、
少なくとも前記透明板の前記一方の面上の前記反射膜が設けられていない領域に設けられた、光を散乱する散乱膜と、を備え、
前記透明板は、前記光源の光の出射方向において前記光源から離れるほど、前記散乱膜が配置された前記反射膜が設けられていない領域によって占められる範囲が次第に大きくなり、
前記散乱膜は、前記反射膜が設けられていない領域に対応する部分に凹凸が設けられていることを特徴とする照明装置。
【請求項２】
前記反射膜は、前記透明板の向かい合う平面の両方の面上に設けられることを特徴とする請求項１に記載の照明装置。
【請求項３】
前記一方の面側には、光を反射する反射シートが前記散乱膜上に設けられることを特徴とする請求項１又は２に記載の照明装置。
【請求項４】
前記反射膜は、前記透明板の向かい合う平面のうち、一方の面上に設けられ、他方の面の全面には、光を反射する全面反射膜が設けられていることを特徴とする請求項１に記載の照明装置。
【請求項５】
前記透明板は、ガラス基板であることを特徴とする請求項１乃至４のいずれか一項に記載の照明装置。
【請求項６】
表示パネルと、
表示パネルのバックライトとして用いられる請求項１乃至５のいずれか一項に記載の照明装置と、を有する電気光学装置。
【請求項７】
請求項６に記載の電気光学装置を表示部に備えることを特徴とする電子機器。
【請求項８】
透明な板状の透明板と、
前記透明板の向かい合う平面のうち、少なくとも一方の面上の一部に設けられた、光を反射する反射膜と、
少なくとも前記透明板の前記一方の面上の前記反射膜が設けられていない領域に設けられた、光を散乱する散乱膜と、を備え、
前記透明板は、前記光源の光の出射方向において前記光源から離れるほど、前記散乱膜が配置された前記反射膜が設けられていない領域によって占められる範囲が次第に大きくなり、
前記散乱膜は、前記反射膜が設けられていない領域に対応する部分に凹凸が設けられていることを特徴とする導光板。
【請求項９】
一対の基板間に電気光学物質を封入してなる表示パネルを作製する表示パネル作製工程と、
ガラス基板の一方の面上に金属膜を塗布し、前記金属膜の一部を除去して反射膜を形成する反射膜形成工程と、
少なくとも前記ガラス基板の前記一方の面上の前記反射膜が設けられていない領域に散乱膜を形成する散乱膜形成工程と、
所定の大きさに前記ガラス基板を切断して、導光板を形成する導光板形成工程と、
前記ガラス基板の端面に光源部を取り付けて、照明装置を作製する照明装置作製工程と、
前記表示パネルを前記照明装置に取り付ける取り付け工程と、を備えることを特徴とする電気光学装置の製造方法。
【発明の詳細な説明】
【技術分野】
【０００１】
本発明は、携帯電話の液晶ディスプレイ等に用いられるバックライトユニットなどの照明装置に関する。
【背景技術】
【０００２】
液晶表示装置においては、透過表示を行うために液晶表示パネルの背面側にバックライトユニットが設けられる。一般的には、バックライトユニットは、光源と、光源からの光を平面状の光として液晶表示パネルの背面に照射する導光板を備えた照明装置として構成される。光源から導光板に入射した光は、導光板の出射面と、出射面に対向する反射面との間で反射を繰り返した後、出射面から外部へ出射する。
【０００３】
しかしながら、導光板から出射する光の輝度は、光源に近い位置になればなるほど高くなり、光源より遠い位置になればなるほど低くなるため、導光板全体では、出射する光の輝度は均一ではなく、輝度ムラが生じていた。
【０００４】
なお、以下の特許文献１では、導光板の反射面に凸部又は凹部を周期的に設けることで、光の利用効率を高める技術が記載されている。
【０００５】
【特許文献１】特開平９−１０２２０９号公報
【発明の開示】
【発明が解決しようとする課題】
【０００６】
本発明は以上の点に鑑みてなされたものであり、薄くて輝度ムラの少ない導光板を有する照明装置を提供することを課題とする。
【課題を解決するための手段】
【０００７】
本発明の１つの観点では、照明装置は、光源と、前記光源を端面に有する透明な板状の透明板と、前記透明板の向かい合う平面のうち、少なくとも一方の面上の一部に設けられた、光を反射する反射膜と、少なくとも前記透明板の前記一方の面上の前記反射膜が設けられていない領域に設けられた、光を散乱する散乱膜と、を備え、前記透明板は、前記光源の光の出射方向において前記光源から離れるほど、前記散乱膜が配置された前記反射膜が設けられていない領域によって占められる範囲が次第に大きくなり、前記散乱膜は、前記反射膜が設けられていない領域に対応する部分に凹凸が設けられている。
【０００８】
上記の照明装置は、例えば液晶表示装置のバックライトユニットなどに好適に使用することができ、光源と、透明板と、反射膜と、散乱膜より構成される。透明板は、前記光源を端面に有する透明な板である。前記光源は、例えばＬＥＤ（Light Emitting Diode）などで構成される。前記反射膜は、前記透明板の向かい合う平面のうち、少なくとも一方の面上の一部に設けられ、光を反射する機能を有する。前記散乱膜は、少なくとも前記透明板の前記一方の面上の前記反射膜が設けられていない領域に設けられ、光を散乱する機能を有し、前記反射膜が設けられていない領域に対応する部分に凹凸が設けられている。前記透明板は、前記光源の光の出射方向において前記光源から離れるほど、前記散乱膜が配置された前記反射膜が設けられていない領域によって占められる範囲が次第に大きくなる。前記透明板、前記反射膜、前記散乱膜より導光板が構成される。このようにすることで、導光板における輝度の均一性を高めることができ、輝度ムラの発生を抑えることができる。
【０００９】
上記の照明装置の一態様は、前記透明板の向かい合う平面の両方の面上に設けられる。この照明装置を両面表示型の液晶表示装置に用いることで、どちらの液晶表示パネルにおいても輝度ムラを抑えた表示を行うことが可能となる。
【００１０】
上記の照明装置の他の一態様は、前記一方の面側には、光を反射する反射シートが前記散乱膜上に設けられる。これにより、より効果的に、導光板における輝度の均一性を高めることができる。
【００１１】
上記の照明装置の他の一態様は、前記反射膜は、前記透明板の向かい合う平面のうち、一方の面上に設けられ、他方の面の全面には、光を反射する全面反射膜が設けられている。これにより、反射シートを設けなくて済み、照明装置の薄型化を図ることができる。
【００１２】
上記の照明装置の他の一態様は、前記透明板は、ガラス基板である。これにより、導光板が液晶表示パネルの支持体となり、液晶表示パネルの薄型化による撓みを抑えることができる。
【００１３】
本発明の他の観点では、電気光学装置は、表示パネルと、表示パネルのバックライトとして用いられる上記の照明装置と、を有する。これにより、光の利用効率を高い電気光学装置を提供できる。また、上記の電気光学装置を表示部として備える電子機器を構成することができる。
【００１４】
本発明の更なる他の観点では、導光板は、透明な板状の透明板と、前記透明板の向かい合う平面のうち、少なくとも一方の面上の一部に設けられた、光を反射する反射膜と、少なくとも前記透明板の前記一方の面上の前記反射膜が設けられていない領域に設けられた、光を散乱する散乱膜と、を備え、前記透明板は、前記光源の光の出射方向において前記光源から離れるほど、前記散乱膜が配置された前記反射膜が設けられていない領域によって占められる範囲が次第に大きくなり、前記散乱膜は、前記反射膜が設けられていない領域に対応する部分に凹凸が設けられている。このような導光板を用いることにより、輝度ムラの発生を抑えることができる。
【００１５】
本発明の更なる他の観点では、電気光学装置の製造方法は、一対の基板間に電気光学物質を封入してなる表示パネルを作製する表示パネル作製工程と、ガラス基板の一方の面上に金属膜を塗布し、前記金属膜の一部を除去して反射膜を形成する反射膜形成工程と、少なくとも前記ガラス基板の前記一方の面上の前記反射膜が設けられていない領域に散乱膜を形成する散乱膜形成工程と、所定の大きさに前記ガラス基板を切断して、導光板を形成する導光板形成工程と、前記ガラス基板の端面に光源部を取り付けて、照明装置を作製する照明装置作製工程と、前記表示パネルを前記照明装置に取り付ける取り付け工程と、を備える。これにより、液晶表示パネルを製造するラインと同じラインで、照明装置を製造することができ、製造コストを削減することができる。
【発明を実施するための最良の形態】
【００１６】
以下、図面を参照して本発明の好適な実施形態について説明する。
【００１７】
［液晶表示装置の構成］
図１に本実施形態に係る照明装置を適用した液晶表示装置１００の断面図を示す。図１において、本実施形態に係る照明装置１０は、液晶表示装置１００などのバックライトユニットとして使用される面発光型の照明装置である。液晶表示装置１００は、主に照明装置１０と液晶表示パネル２０より構成される。照明装置１０は、端面に光源１２を有する導光板１６を備える。また、照明装置１０は、導光板１６の下側に反射シート１７を備える。液晶表示装置１００は、照明装置１０と液晶表示パネル２０の間に、拡散シート１８と、プリズムシート１９を備える。
【００１８】
液晶表示パネル２０は、素子基板９１と、その素子基板９１に対向して配置されるカラーフィルタ基板９２とが枠状のシール材５を介して貼り合わされ、そのシール材５の内側に液晶が封入されて液晶層４が形成されてなる。素子基板９１は、ガラス基板上にソース電極、ゲート電極、画素電極が配置されたものであり、カラーフィルタ基板９２は、ガラス基板上に着色層、共通電極が配置されたものである。液晶層４に用いられる液晶は、例えばＴＮ（Twisted Nematic）型液晶である。素子基板９１の画素電極とカラーフィルタ基板９２の共通電極間に電圧が印加されることで、液晶の配向が制御される。
【００１９】
照明装置１０において、導光板１６は、透明なガラス基板より形成された板状の透明板１１と、透明板１１の反射シート１７側の表面上に設けられた反射膜１５と、反射膜１５の表面上に設けられた、光を散乱する散乱膜１４より構成される。反射膜１５には、光を透過する複数の開口部３１が設けられている。即ち、この透明板１１の開口部３１に対応する部分が、本発明における透明板１１の反射膜１５が設けられていない領域となる。
【００２０】
光源１２は、例えば点光源としての複数のＬＥＤ（Light Emitting Diode）１３を備え、光源１２と対向する透明板１１の端面（以下、「入光端面」と呼ぶ）１１ｃに光を出射する。透明板１１の上側の面１１ａは光を出射する面（以下、「出射面」と呼ぶ）であり、下側の面１１ｂは光を反射する面（以下、「反射面」と呼ぶ）である。
【００２１】
光源１２から出射された光Ｌは、入光端面１１ｃから透明板１１内に入り、反射面１１ｂと出射面１１ａとの間で反射を繰り返す。光Ｌは、反射面１１ｂの反射膜１５が設けられた領域では全反射する。一方、光Ｌが、開口部３１を介して反射面１１ｂから出射した場合には、散乱膜１４又は反射シート１７によって、光Ｌは、透明板１１内部へ戻される。このとき、後に詳しく述べるが、光Ｌは散乱されるため、その偏向方向が変わる。光Ｌの偏向方向が変えられることにより、出射面１１ａと光Ｌのなす角は臨界角を超え、光Ｌは出射面１１ａから液晶表示パネル２０へ向けて出射する。
【００２２】
図２は、開口部３１の拡大断面図であり、図１で言うと、破線１６ｐで囲まれる部分の拡大図である。図２に示すように、散乱膜１４は、開口部３１に対応する部分１４ａに凹凸が設けられている。この凹凸の形状は、ランダムな凹凸の形状、即ち、散乱膜１４の表面が粗く荒らされた凹凸の形状とされる。入光端面１１ｃから透明板１１内に入った光Ｌが、開口部３１を介して反射面１１ｂから出射した場合、部分１４ａの凹凸へ入射する角度によって、部分１４ａで反射されて透明板１１内部へ戻される光Ｌｒ１と、部分１４ａで屈折して外部へ出射する光Ｌｒ２とに分かれる。部分１４ａは、光Ｌを反射する際、凹凸によって、様々な方向へ反射するため、光Ｌｒ１は、拡散された光となる。一方、部分１４ａは、光Ｌを屈折する際にも、凹凸によって、様々な方向へ屈折するため、光Ｌｒ２も拡散された光となる。散乱膜１４の外部へ出射した光Ｌｒ２は、反射シート１７によって反射され、当該開口部３１又は他の開口部３１より透明板１１内部へ戻される。
【００２３】
ここで、透明板１１と散乱膜１４の境界の反射面１１ｂで光の反射が発生することを避けるために、散乱膜１４の光の屈折率は、透明板１１の光の屈折率と等しくされるのが望ましい。
【００２４】
図３は、照明装置１０の平面図を示している。先にも述べたように、透明板１１の反射シート１７側の表面上には、反射膜１５が設けられる。反射膜１５には、光を透過する複数の開口部３１が設けられる。本実施形態に係る照明装置１０では、図３に示すように、反射膜１５は、光源１２より出射される光Ｌの出射方向において光源１２から離れるほど、開口部３１によって占められる範囲が次第に大きくなっている。例えば、図３に示す反射膜１５では、開口部３１は一定の面積を有し、開口部３１の数は、光源１２より出射される光Ｌの出射方向において光源１２から離れるほど、次第に増加する構造となっている。このようにすることで、光源１２より離れれば離れるほど、開口部３１を介して反射面１１ｂから出射する光が増えることとなる。即ち、散乱膜１４の部分１４ａにおける凹凸によって反射され、拡散される光が増えることとなる。
【００２５】
また、本実施形態に係る照明装置１０では、散乱膜１４上に反射シート１７が設けられている。照明装置１０では、開口部３１の数は、光源１２より出射される光Ｌの出射方向において光源１２から離れるほど、次第に増加する構造となっているので、光源１２より離れた位置ほど、開口部３１より入射する光、即ち、反射シート１７によって反射された後、開口部３１より入射する光が多くなる。
【００２６】
以上より分かるように、本実施形態に係る照明装置１０では、反射膜１５は、光源１２より出射される光Ｌの出射方向において光源１２から離れるほど、開口部３１によって占められる範囲が次第に大きくなる。言い換えると、透明板１１は、光源１２より出射される光Ｌの出射方向において光源１２から離れるほど、散乱膜１４が配置された反射膜１５が設けられていない領域によって占められる範囲が次第に大きくなる。従って、本実施形態に係る照明装置１０では、光源１２より離れた位置ほど、散乱膜１４によって拡散された光が増えることとなり、当該光源１２より離れた位置における輝度を向上させることができる。これにより、本実施形態に係る照明装置１０では、出射面１１ａより出射する光の導光板１６における輝度の均一性を高めることができ、輝度ムラの発生を抑えることができる。また、反射シート１７を設けることにより、より効果的に、光源１２より離れた位置ほど、光の輝度を向上させることができ、導光板１６における輝度の均一性を更に高めることができる。
【００２７】
[液晶表示装置の製造方法]
次に、本実施形態に係る液晶表示装置１００の製造方法について述べる。図４は、本実施形態に係る液晶表示装置１００の製造方法を示すフローチャートであり、図５は、本実施形態に係る液晶表示装置１００における照明装置１０の製造方法を示すフローチャートである。
【００２８】
まず、液晶表示パネル２０を作製する（工程Ｒ１１）。具体的には、液晶表示パネル２０は、素子基板９１及びカラーフィルタ基板９２を作製して、シール材５を介して互いに貼り合わせた後、素子基板９１とカラーフィルタ基板９２の間に液晶を封入することにより作製される。
【００２９】
次に、照明装置１０を作製する（工程Ｒ１２）。照明装置１０の製造方法については、図５のフローチャートを基に説明する。ここで、図６〜図７に、導光板１６の製造工程における模式図を示す。
【００３０】
まず、図６（ａ）に示すように、ガラス基板１１ｏの表面上にアルミニウム（Ａｌ）、タンタル（Ｔａ）、モリブテン（Ｍｏ）などの金属膜１５ｏを、スパッタリング法などを用いて成膜した後、図６（ｂ）に示すように、微細加工法などを用いて、金属膜１５ｏの一部を除去して開口部３１を形成する。これにより、反射膜１５が形成される（工程Ｒ２１）。
【００３１】
次に、図７（ａ）に示すように、光を散乱する性質のある樹脂、例えば、ビーズなどの球状粒子を含み、当該球状粒子と光の屈折率の異なる樹脂を、反射膜１５の表面上に塗布した後、開口部３１に対応する部分に、ラビング加工などにより凹凸を形成する。これにより、散乱膜１４が形成される（工程Ｒ２２）。
【００３２】
その後、図７（ｂ）に示すように、導光板１６の大きさに合わせて、切断線ＣＬに沿って、ガラス基板１１ｏを切断することにより、透明板１１に反射膜１５及び散乱膜１４が設けられた導光板１６が形成される（工程Ｒ２３）。
【００３３】
このようにして、導光板１６を形成した後、光源１２を取り付けて（工程Ｒ２４）、照明装置１０が完成する。
【００３４】
次に、図４のフローチャートに戻り、液晶表示パネル２０を、拡散シート１８、プリズムシート１９を挟んで照明装置１０に取り付けることで、液晶表示装置１００は完成する（工程Ｒ１３）。
【００３５】
本実施形態に係る照明装置１０では、上述したように、透明板１１としてガラス基板が用いられており、当該ガラス基板上に、金属膜を、スパッタリング法などを用いて成膜し、微細加工法などを用いて、開口部３１を形成した後、導光板１６の形状に切断することで、導光板１６は作製される。一方、液晶表示パネル２０の素子基板９１の製造方法では、ガラス基板上に金属膜を、スパッタリング法などを用いて成膜し、微細加工法などを用いて、電極などを形成した後、素子基板９１の形状に切断することで、素子基板９１は作製される。つまり、このことから分かるように、本実施形態に係る照明装置１０の製造方法では、液晶表示パネル２０を作製するラインを用いて、導光板１６を作製することができる。これにより、導光板１６の製造コストを削減することができる。
【００３６】
また、ガラス基板で作製された導光板１６を液晶表示装置１００に用いることで、導光板１６が液晶表示パネル２０の支持体となり、液晶表示パネル２０の薄型化による撓みを抑えることができる。
【００３７】
[変形例]
次に、上述した実施形態の各種の変形例について述べる。図８は、第１の変形例に係る照明装置１０の平面図を示している。第１の変形例に係る照明装置１０は、上述の実施形態に係る照明装置１０と異なり、図８に示すように、光の出射方向と垂直な方向に設けられる開口部３１の数は、光源部１２からの距離に拘らず同一であるが、反射膜１５に設けられた開口部３１の面積は、光源１２より出射される光Ｌの出射方向において光源１２から離れるほど、次第に増加する構造となっている。このようにしても、反射膜１５は、光源１２より出射される光Ｌの出射方向において光源１２から離れるほど、開口部３１によって占められる範囲が次第に大きくなるので、光源１２より離れた位置ほど、散乱膜１４によって拡散された光が増えることとなり、当該位置における輝度を向上させることができる。
【００３８】
なお、反射膜１５の形状としては、上述の実施形態又は第１の変形例で述べた形状には限られない。代わりに、例えば、反射膜１５に設けられた開口部３１の面積が、光源１２より出射される光Ｌの出射方向において光源１２から離れるほど、次第に増加すると共に、開口部３１の数も、光源１２より出射される光Ｌの出射方向において光源１２から離れるほど、次第に増加するとしてもよい。
【００３９】
さらに、図３及び図８では、開口部３１は、規則的に配置されているが、これに限られるものではない。光源１２より出射される光Ｌの出射方向において光源１２から離れるほど、反射膜１５における開口部３１によって占められる範囲が次第に大きくなりさえすれば、開口部３１は、規則的に配置される代わりにランダムに配置されるとしても、先に述べたのと同様の効果を得られることができるのは言うまでもない。
【００４０】
図９（ａ）は、第２の変形例に係る照明装置１０の断面図を示し、図９（ｂ）は、第３の変形例に係る照明装置１０の断面図を示す。
【００４１】
図９（ａ）に示すように、第２の変形例に係る照明装置１０では、上述の実施形態に係る照明装置１０と異なり、透明板１１の出射面１１ａ上に反射膜１５が設けられている。反射膜１５には、光を透過する複数の開口部３１が設けられている。反射膜１５は、光源１２より出射される光Ｌの出射方向において光源１２から離れるほど、開口部３１によって占められる範囲が次第に大きくなっている。一方、透明板１１の反射面１１ｂ上には、その全面に光を反射する全面反射膜１５ａが設けられている。全面反射膜１５ａは、反射膜１５と同じ材料で形成されるが、反射膜１５と異なり開口部３１を有さない。このようにすることで、光源１２より離れた位置ほど、液晶表示パネル２０へ向けて出射する光が増えることとなり、導光板１６における輝度の均一性を高めることができる。また、全面反射膜１５ａを設けることにより、反射シート１７を設ける必要がなくなり、照明装置１０の薄型化を図ることができる。
【００４２】
図９（ｂ）に示すように、第３の変形例に係る照明装置１０では、上述の実施形態に係る照明装置１０と異なり、透明板１１の向かい合う両方の平面上、即ち、出射面１１ａ及び反射面１１ｂの両方の面上に反射膜１５が設けられている。両方の面上に設けられた反射膜１５には、光を透過する複数の開口部３１が設けられている。両方の面上に設けられた反射膜１５は、光源１２より出射される光Ｌの出射方向において光源１２から離れるほど、開口部３１によって占められる範囲が次第に大きくなっている。これによっても、光源１２より離れた位置ほど、液晶表示パネル２０へ向けて出射する光が増えることとなり、導光板１６における輝度の均一性を高めることができる。
【００４３】
また、第３の変形例に係る照明装置１０は、反射面１１ｂより外部へ出射する光についても、導光板１６における輝度の均一性を高めることができる。従って、例えば、第３の変形例に係る導光板１６の両面に液晶表示パネルを備え、反射面１１ｂも出射面とした両面表示型の液晶表示装置では、どちらの液晶表示パネルにおいても輝度ムラを抑えた表示を行うことが可能となる。
【００４４】
図１０（ａ）、（ｂ）は、変形例に係る照明装置１０の開口部３１の拡大断面図を示す。上述の実施形態に係る照明装置１０では、散乱膜１４の部分１４ａにはランダムな凹凸が設けられるとしているが、代わりに、この凹凸の形状として、図１０（ａ）に示すようなマイクロレンズ形状、又は、図１０（ｂ）に示すようなプリズム形状を用いるとすることもできる。
【００４５】
図１１（ａ）〜（ｃ）は、図１０（ａ）に示した部分１４ａの凹凸形状をマイクロレンズ形状とした場合における１つのマイクロレンズの種々の形状を示したものである。図１１（ａ）〜（ｃ）において、上段に１つのマイクロレンズの平面図を示し、下段に１つのマイクロレンズの切断線ＡＡ´に沿った断面図を示す。例えば、図１０（ａ）では、１つのマイクロレンズの形状は、図１１（ａ）に示すように、その平面形状は円形とされている、即ち、１つのマイクロレンズの形状は、全体として半球形状とされている。この場合には、部分１４に入射した光は、指向性を有することなく均一に拡散されて反射及び屈折される。１つのマイクロレンズの形状としては、図１１（ａ）に示した形状に限られるものではなく、代わりに、図１１（ｂ）に示すように、その平面形状が楕円形状をなすとしてもよいし、図１１（ｃ）に示すように、その平面形状が菱形形状をなすとしてもよい。
【００４６】
上述の実施形態では、透明板１１は、ガラス基板より形成されるとしているが、代わりにＰＥＴ（ポリエチレンテレフタレート）などの透明樹脂を用いることもできるのは言うまでもない。
【００４７】
また、上述の実施形態及び変形例は、本発明の要旨を変更しない範囲で種々の組み合わせが可能であるのはいうまでもない。例えば、第３変形例に係る照明装置１０における導光板１６において、その出射面１１ａ側の反射膜１５に設けられた開口部３１については、その面積を、光源１２より出射される光Ｌの出射方向において光源１２から離れるほど、次第に増加する構造とする一方、その反射面１１ｂ側の反射膜１５に設けられた開口部３１については、その面積を一定とし、その開口部３１の数を、光源１２より出射される光Ｌの出射方向において光源１２から離れるほど、次第に増加させる構造としてもよい。
【００４８】
更には、上述の実施形態及び変形例では、反射膜１５に開口部３１を設けることとしているがこれに限られるものではない。透明板１１の面上に開口の形状で反射膜１５を設けない領域を設ける代わりに、透明板１１の面上に反射膜１５を設ける領域と反射膜１５を設けない領域を例えばストライプ状に形成するとしてもよいのは言うまでもない。
【００４９】
[電子機器]
次に、本発明に係る液晶表示装置１００を適用可能な電子機器の具体例について図８を参照して説明する。
【００５０】
まず、本発明に係る液晶表示装置１００を、可搬型のパーソナルコンピュータ（いわゆるノート型パソコン）の表示部に適用した例について説明する。図１２（ａ）は、このパーソナルコンピュータの構成を示す斜視図である。同図に示すように、パーソナルコンピュータ７１０は、キーボード７１１を備えた本体部７１２と、本発明に係る液晶表示パネルを適用した表示部７１３とを備えている。
【００５１】
続いて、本発明に係る液晶表示装置１００を、携帯電話機の表示部に適用した例について説明する。図１２（ｂ）は、この携帯電話機の構成を示す斜視図である。同図に示すように、携帯電話機７２０は、複数の操作ボタン７２１のほか、受話口７２２、送話口７２３とともに、本発明に係る液晶表示装置１００を適用した表示部７２４を備える。
【００５２】
なお、本発明に係る液晶表示装置１００を適用可能な電子機器としては、図１２（ｂ）に示したパーソナルコンピュータや図１２（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００５３】
【図１】本実施形態に係る液晶表示装置の概略構成を示す断面図である。
【図２】開口部の拡大断面図である。
【図３】本実施形態に係る照明装置の平面図である。
【図４】本実施形態に係る液晶表示装置の製造方法のフローチャート。
【図５】本実施形態に係る照明装置の製造方法のフローチャート。
【図６】導光板の製造工程における模式図を示す。
【図７】導光板の製造工程における模式図を示す。
【図８】変形例に係る照明装置の平面図である。
【図９】変形例に係る照明装置の断面図である。
【図１０】変形例に係る照明装置の開口部の拡大断面図である。
【図１１】散乱膜のマイクロレンズ形状の変形例を示す図である。
【図１２】本発明の照明装置を適用した電子機器を示す概略図である。
【符号の説明】
【００５４】
１０  照明装置、  １１  透明板、  １２  光源、  １３  ＬＥＤ、  １４  散乱膜、  １５  反射膜、  １６  導光板、  ２０  液晶表示パネル、  １００  液晶表示装置
【図１】
0004544182.tif 000002
【図２】
0004544182.tif 000003
【図３】
0004544182.tif 000004
【図４】
0004544182.tif 000005
【図５】
0004544182.tif 000006
【図６】
0004544182.tif 000007
【図７】
0004544182.tif 000008
【図８】
0004544182.tif 000009
【図９】
0004544182.tif 000010
【図１０】
0004544182.tif 000011
【図１１】
0004544182.tif 000012
【図１２】
0004544182.tif 000013